(57)【特許請求の範囲】
【請求項１】
複数の画素から構成される画像を表示する表示部と、
前記表示部が表示した第１の画像を光学的にずらすことで、第２の画像を生成する画像ずらし部と、
前記第１の画像の奥行きを示す奥行き情報を取得する奥行き情報取得部と、
前記画像ずらし部が前記第１の画像をずらすずらし量を、前記奥行き情報に基づいて制御する制御部と
を備え、
前記表示部は、走査型であり、
前記制御部は、前記表示部の走査位置に同期して前記ずらし量を制御することを特徴とする表示装置。
【請求項２】
前記第１の画像は、複数の領域により構成され、
前記画像ずらし部は、前記第１の画像の領域毎に、前記第１の画像の表示位置をずらして第２の画像を生成し、
前記制御部は、前記第１の画像の領域毎に、前記ずらし量を制御することを特徴とする請求項１に記載の表示装置。
【請求項３】
前記奥行き情報取得部は、前記複数の領域毎に前記奥行き情報を取得し、
前記制御部は、領域毎の前記奥行き情報に基づいて、前記ずらし量を前記領域毎に制御することを特徴とする請求項２に記載の表示装置。
【請求項４】
前記画像ずらし部は、前記第１の画像の画素毎に、前記第１の画像の表示位置をずらして第２の画像を生成し、
前記制御部は、前記第１の画像の画素毎に、前記ずらし量を制御することを特徴とする請求項１に記載の表示装置。
【請求項５】
前記画像ずらし部は、入射された光線を複屈折させる物質を含み、前記第１の画像を表す光線を前記物質を用いて屈折させることで、前記第１の画像の表示位置をずらすことを特徴とする請求項１に記載の表示装置。
【請求項６】
前記第２の画像は、当該第２の画像を立体的に見せるための右目用の画像と左目用の画像を含み、
前記制御部は、
前記右目用の画像のずらし量を制御する手段と、
前記左目用の画像のずらし量を制御する手段と
を有することを特徴とする請求項１に記載の表示装置。
【請求項７】
前記表示部は、前記第１の画像と前記第２の画像のうち、いずれか一方を右目用の画像とし、他方を左目用の画像として表示することで、前記第１の画像と前記第２の画像を用いて、ユーザに対して立体画像を視覚させることを特徴とする請求項１に記載の表示装置。
【請求項８】
前記制御部は、前記表示部の画素ピッチより小さい範囲内で、前記ずらし量を制御することを特徴とする請求項１に記載の表示装置。
【発明の詳細な説明】
【０００１】
【発明の属する技術分野】
本発明は、表示装置に関する。特に本発明は、原画像の表示位置をずらして表示する表示装置に関する。
【０００２】
【従来の技術】
従来の画像表示装置として特開平８−１９４２０７号公報に、表示画像の観察位置を選択的にシフトさせる画像ずらし手段に関する技術が開示されている。これにより、画像の表示画素数によって定まる解像度を、より高めて表示させることが可能となった。
【０００３】
【発明が解決しようとする課題】
ところで解像度を高めた画像を生成する際、画像の内容に適した画像を生成しなければ、かえってユーザにとって見にくい画像を表示することになってしまう可能性がある。
【０００４】
そこで本発明は、上記の課題を解決することのできる表示装置を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、複数の画素から構成される画像を表示する表示部と、表示部が表示した第１の画像を光学的にずらすことで、第２の画像を生成する画像ずらし部と、第１の画像の奥行きを示す奥行き情報を取得する奥行き情報取得部と画像ずらし部が第１の画像をずらすずらし量を、奥行き情報に基づいて制御する制御部とを備える。
【０００６】
第１の画像は、複数の領域により構成され、画像ずらし部は、第１の画像の領域毎に、第１の画像の表示位置をずらして第２の画像を生成し、制御部は、第１の画像の領域毎に、ずらし量を制御してもよい。
【０００７】
奥行き情報取得部は、複数の領域毎に奥行き情報を取得し、制御部は、領域毎の奥行き情報に基づいて、ずらし量を領域毎に制御してもよい。画像ずらし部は、第１の画像の画素毎に、第１の画像の表示位置をずらして第２の画像を生成し、制御部は、第１の画像の画素毎に、ずらし量を制御してもよい。
【０００８】
画像生成部は、走査型であり、制御部は、画像生成部の走査位置に同期してずらし量を制御してもよい。画像ずらし部は、入射された光線を複屈折させる物質を含み、第１の画像を表す光線を物質を用いて屈折させることで、第１の画像の表示位置をずらしてもよい。
【０００９】
第２の画像は、当該第２の画像を立体的に見せるための右目用の画像と左目用の画像を含み、制御部は、右目用の画像のずらし量を制御する手段と、左目用の画像のずらし量を制御する手段とを有してもよい。
【００１０】
表示部は、第１の画像と第２の画像のうち、いずれか一方を右目用の画像とし、他方を左目用の画像として表示することで、第１の画像と第２の画像を用いて、ユーザに対して立体画像を視覚させてもよい。制御部は、表示部が表示可能な１画素の幅より小さい範囲内で、ずらし量を制御してもよい。
【００１１】
本発明の第２の形態によると、複数の画素を有する画像を表示する表示部と、複数の画素を有する第１の画像を取得する画像取得部と、第１の画像の奥行きを示す奥行き情報を取得する奥行き情報取得部と、第１の画像と奥行き情報とを用いて、第２の画像を生成する第２の画像生成部と、第２の画像生成部が生成した第２の画像の表示位置を、ずらす画像ずらし部とを備え、表示部は、第１の画像と画像ずらし部が表示位置をずらした第２の画像とを用いて、表示部が表示可能な表示画素数より高い画素数を有する第３の画像を表示する。
【００１２】
第２の画像生成部は、第１の画像と奥行き情報とを用いて、表示部が表示可能な表示画素数より高い画素数を有する第３の画像を生成する第３の画像生成部をさらに備え、第２の画像生成部は、第３の画像生成部が生成した第３の画像に基づいて、表示画素数以下の画素数を有する第２の画像を生成してもよい。
【００１３】
第３の画像生成部は、表示画素数のｎ（ただし、ｎは自然数）倍の画素数を有する第３の画像を生成し、第２の画像生成部は、表示画素数を有する第２の画像をｎ−１（ただし、ｎは自然数）個生成してもよい。
【００１４】
画像ずらし部は、入射された光線を複屈折させる物質を含み、第２の画像を表す光線を屈折させることで、第２の画像の表示位置をずらしてもよい。
【００１５】
第２の画像生成部は、第３の画像を構成する複数の画素のうち、予め定められた領域の画素を、第３の画像から抽出して第２の画像を生成し、第２の画像を第３の画像における表示位置に表示させるべく、画像ずらし部のずらし量を制御する制御部をさらに備えてもよい。
【００１６】
第３の画像生成部は、奥行き情報により示される第１の画像の奥行きに基づいて、第３の画像の画素数を決定する手段を有し、決定した画素数を有する第３の画像を生成してもよい。
【００１７】
表示部は、第１の画像をユーザが閲覧可能に表示した後、ユーザの視覚に第１の画像の残像がある間に、画像ずらし部がずらした第３の画像を表示してもよい。
【００１８】
なお上記の発明の概要は、本発明の必要な特徴の全てを列挙したものではなく、これらの特徴群のサブコンビネーションも又発明となりうる。
【００１９】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００２０】
（第１の実施の形態）
図１は、第１の実施の形態に係る表示装置１００の機能構成を示すブロック図である。表示装置１００は、取得した第１の画像の表示位置を、ずらして第２の画像を生成し、表示する。表示装置１００は、画像ずらし部１０４と、表示部１０６と、画像処理部１０８と、画像データ入力部１１０と、制御部１１２と、奥行き情報取得部１１４とを備える。
【００２１】
画像データ入力部１１０は、第１の画像の画像データを、第１の画像の奥行きを示す奥行き情報とともに取得する。画像データ入力部１１０は、第１の画像の領域毎に奥行き情報を取得する。画像データ入力部１１０は、取得した奥行き情報を奥行き情報取得部１１４に送り、第１の画像の画像データを画像処理部１０８に送る。画像処理部１０８は、受け取った画像データの画像処理を行う。例えば画像処理部１０８は、画素数変換、γ補正、Ｄ／Ａ変換等の画像処理を行う。画像処理部１０８は、画像処理を行った後の第１の画像を表示部１０６に送る。
【００２２】
表示部１０６は、受け取った第１の画像を表す光線を、画像ずらし部１０４に出射する。表示部１０６は、走査型であり、画像の左上を始点として最上位行から順次下位行に、画素を表す光線を画像ずらし部１０４に出射する。また表示部１０６は、走査位置を制御部１１２に順次送る。
【００２３】
奥行き情報取得部１１４は、画像データ入力部１１０から取得した、領域毎の奥行き情報を制御部１１２に送る。ここで領域毎の奥行き情報とは、奥行きが大きく変わる境界線で分割した領域をいう。領域毎の奥行き情報は、例えば第１の画像に表示される被写体のうち、背景の領域と人等の対象物の領域の境界線、即ち奥行きが大きく変わる境界線で分割された領域をいう。また奥行き情報取得部１１４は、奥行き情報を領域毎に取得しているが、これに代えて他の例としては、画素毎に奥行き情報を取得してもよい。
【００２４】
制御部１１２は、奥行き情報取得部１１４から受け取った奥行き情報に基づいて、第２の画像を生成するのに必要なずらし量を制御する。ここで制御部１１２は、画像ずらし部１０４が第１の画像における各画素の表示位置をずらすずらし量を制御する。また制御部１１２は、表示部１０６の走査位置を表示部１０６から順次受け取る。制御部１１２は、決定したずらし量を、表示部１０６から受け取った走査位置に同期して画像ずらし部１０４に送る。即ち制御部１１２は、表示部１０６から走査位置を受け取ったタイミングに従って、当該走査位置に対応したずらし量を、画像ずらし部１０４に送る。
【００２５】
画像ずらし部１０４は、制御部１１２からずらし量を受け取ると、表示部１０６が出射した第１の画像を光学的にずらし、第２の画像を生成し、生成した第２の画像を出射する。ここで第２の画像は、右目用の画像と左目用の画像とを含む。画像ずらし部１０４は、第１の画像を立体的にユーザに見せるために、第１の画像をずらすことにより、右目用の画像と左目用の画像を生成する。画像ずらし部１０４は、第１の画像の光線を屈折させることにより、表示位置をずらす。ここで画像ずらし部１０４は、第１の画像の光線を略平行にずらし、出射する。また画像ずらし部１０４は、第１の画像の光線の進行方向をずらしてもよい。
【００２６】
画像ずらし部１０４は、表示部１０６が出射した光線のうち、右目用の画像をユーザ２００の右目２１０に、左目用の画像をユーザ２００の左目２２０に視覚されるように出射する。ここで表示装置１００は、右目用の画像を左目に視覚されないように、また左目用の画像を右目に視覚されないように、画像ずらし部１０４と、右目２１０及び左目２２０との間にシャッターを設ける。また表示装置１００は、光線を偏光させることにより、右目用の画像を左目に視覚されないように、また左目用の画像を右目に視覚されないようにしてもよい。
【００２７】
図２は、第１の実施の形態において特徴的な画像ずらし部１０４の構成を示す。画像ずらし部１０４は、偏光部１１６と屈折部１１８を含む。
【００２８】
偏光部１１６は、入射した光線ａを、一定の方向にだけ振動する光波、すなわち直線偏光（平面偏光）に偏光する。屈折部１１８は、偏光された光線ａを屈折させ、光線ｂを生成する。屈折部１１８は、生成した光線ｂを出射する。ここで屈折部１１８としては、例えば方解石等の入射光を複屈折させる結晶が用いられる。画像ずらし部１０４は、表示部１０６から画像を表す光線ａを入射すると、入射した光線ａを屈折させ、略平行方向にずらした光ｂを出射する。この場合画像ずらし部１０４は、ずらし量Ｓをずらす。
【００２９】
制御部１１２は、表示部１０６の走査位置に同期して、ずらし量を屈折部１１８に送る。屈折部１１８は、制御部１１２からずらし量を走査位置毎に順次受け取り、ずらし量に応じて光線ａの屈折率を変更する。このとき屈折部１１８は、結晶に加えられる電界を変化させることにより屈折率を変更する。即ち屈折部１１８は、受け取ったずらし量を示す情報に基づいて順次電界量を変化させる。また本実施の形態に係る屈折部１１８は、結晶に加えられる電界を変化させることにより屈折率を変更しているが、結晶に加えられる応力を変化させることにより屈折率を変更してもよい。
【００３０】
図３は、制御部１１２がずらし量を決定するために用いるデータを示す。本例において、データをテーブル形式で示す。制御部１１２は、奥行き情報を用いて、第１の画像に写っている被写体のうち、表示の際にユーザの焦点を合わせるべき対象物の奥行き情報と、その他の奥行き情報との差を、対象物からの距離として算出する。
【００３１】
制御部１１２は、対象物からの距離に対応付けて、ずらし量を格納する。制御部１１２は、所定の距離毎に、表示位置をずらすずらし量を格納する。本実施の形態に係る制御部１１２は、対象物からの距離が大きい程、大きいずらし量として、屈折部１１８に送る。
【００３２】
図４は、第１の実施の形態に係る表示装置１００の動作を示すフローチャートである。画像データ入力部１１０は、第１の画像の画像データを取得する（Ｓ１００）。奥行き情報取得部１１４は、第１の画像の奥行き情報を取得する（Ｓ１０２）。ここで奥行き情報取得部１１４は、領域毎に奥行き情報を取得する。
【００３３】
次に画像処理部１０８は、画像データ入力部１１０が取得した画像データの画像処理を行う（Ｓ１０４）。
【００３４】
制御部１１２は、奥行き情報取得部１１４が取得した奥行き情報に基づいて、右目用の画像及び左目用の画像のずらし量を別々に決定してもよい（Ｓ１０８）。制御部１１２は、右目用の画像の領域毎及び左目用の画像の領域毎にずらし量を決定する。
【００３５】
次に表示部１０６は、第１の画像を表す光線を出射する（Ｓ１１２）。このとき表示部１０６は、走査型であるため、画像フレームの左上を始点として最上位行から最下位行に光線を順次だす。制御部１１２は、表示部１０６から表示部１０６の走査位置を順次取得する。制御部１１２は、取得した表示部１０６の走査位置に同期して、走査位置に対応するずらし量を画像ずらし部１０４に送る。
【００３６】
次に画像ずらし部１０４は、第１の画像を表す光線を、制御部１１２が右目用の画像として判断したずらし量ほどずらす。さらに表示部１０６は、第１の画像を表す光線を出射する。画像ずらし部１０４は、第１の画像を表す光線を、制御部１１２が左目用の画像として判断したずらし量ずらす（Ｓ１１４）。ここで制御部１１２は、表示部１０６から表示部１０６の走査位置を順次取得する。制御部１１２は、取得した表示部１０６の走査位置に同期して、走査位置と同一の位置のずらし量を画像ずらし部１０４に送る。画像ずらし部１０４は、取得したずらし量に基づいて順次左目用画像の表示位置をずらす。
【００３７】
表示装置１００は、第１の画像の表示時間が終了するまでＳ１１２からＳ１１４を繰り返す。このように表示装置１００は、右目用の画像及び左目用の画像を繰り返し表示する。
【００３８】
図５は、第１の画像、及び右目用画像と左目用画像の一例を示す。図５（１）は、第１の画像の一例を示す。図５（２）は、左目用画像の一例を示す。図５（３）は、右目用画像の一例を示す。制御部１１２は、第１の画像の領域毎の奥行き情報に基づいて、ずらし量を領域毎に決定する。例えば図５（１）において、家５０の奥行きは、樹木６０の奥行きに対して深いので、右目で視覚した家５０と樹木６０の距離と、左目で視覚した家５０と樹木６０の距離とは、異なる。そこで、制御部１１２は、図５（２）においては、第１の画像より家５０の表示位置を左側にずらし、図５（３）においては、第１の画像より家５０の表示位置を左側にずらす。
【００３９】
このように表示装置１００は、１フレームの画像データから右目用の画像と左目用の画像を、奥行き情報に適した立体画像に変換することができる。またユーザの焦点は、対象物の樹木６０に合わせるので、右目用の画像における樹木６０の表示位置と、左目用の画像における樹木６０の表示位置は、同一の位置とする。これにより表示装置１００は、ユーザにとって見やすい立体画像を表示することができる。
【００４０】
次に第１の実施の形態に係る第１の変更例を説明する。本実施の形態に係る表示装置１００は、図５に示すように第１の画像を表す光線をずらして右目用の画像と左目用の画像を生成しているが、これに代えて第１の変更例としては、第１の画像を右目用の画像または左目用の画像として、第１の画像をずらすことにより生成した画像を第１の画像ではない目のための画像としてもよい。
【００４１】
図６は、第１の変更例に係る右目用画像と左目用画像の一例を示す。図６（１）は、第１の画像、即ち右目用の画像の一例を示す。図６（２）は、左目用の画像の一例を示す。このとき画像ずらし部１０４は、まず第１の画像を表す光線をずらすことなく、右目用の画像として通過させる。次に画像ずらし部１０４は、第１の画像を表す光線をずらすことにより、奥行き情報に基づいて左目用の画像を生成する。
【００４２】
これにより、第１の実施の形態に係る表示装置１００は、第１の画像をずらすことにより右目用の画像と左目用の画像を生成していたが、第１の変更例に係る表示装置１００は、第１の画像をずらすことにより左目用の画像のみを生成するだけでよいので、制御部１１２の処理をより簡略化することができる。
【００４３】
図７は、第２の変更例に係る画像ずらし部１０４の構成を示す。第２の変更例に係る画像ずらし部１０４は、屈折部１１９をさらに備える点で本実施の形態に係る画像ずらし部１０４と異なる。
【００４４】
制御部１１２は、表示部１０６の走査位置に同期してずらし量を判断する。制御部１１２は、判断したずらし量をＳ１とＳ２に分割し、それぞれ屈折部１１８と屈折部１１９に送る。屈折部１１８は、光線ａをずらし量Ｓ１ほど屈折させることによりずらした光線ｂ１を生成する。屈折部１１８は、光線ｂ１をずらし量Ｓ２ほど屈折させることによりずらした光線ｂ２を生成する。
【００４５】
例えば屈折部１１８と屈折部１１９が同一の材質で構成されている場合に、屈折部１１８がｎ段階で光を屈折させることができるとすると、第２の変更例では、屈折部１１８と屈折部１１９を用いることにより２ｎ段階で光を屈折させることができる。
【００４６】
さらに第２の変更例において表示装置１００は、屈折部を２つ有していたがこれに代えて、さらに多くの屈折部を有してもよい。
【００４７】
（第２の実施の形態）
次に第２の実施の形態を説明する。第２の実施の形態に係る表示装置１００は、第１の画像と奥行き情報とを用いて、表示可能な画素数より高い画素数の第３の画像を生成し、第３の画像から表示可能な画素数の第２の画像を生成し、第１の画像と、第２の画像を用いて第３の画像を表示する。
【００４８】
図８は、第２の実施の形態に係る表示装置１００の機能構成を示すブロック図である。表示装置１００は、画像ずらし部１０４と、表示部１０６と、画像処理部１０８と、画像データ入力部１１０と、制御部１１２と、第２の画像生成部１０３と、第３の画像生成部１０２とを備える。
【００４９】
画像データ入力部１１０は、第１の画像の画像データを、第１の画像の奥行きを示す奥行き情報とともに取得する。画像データ入力部１１０は、第１の画像の画素毎に奥行き情報を取得する。画像データ入力部１１０は、取得した奥行き情報を奥行き情報取得部１１４に送り、第１の画像の画像データを画像処理部１０８に送る。画像処理部１０８は、受け取った画像データの画像処理を行う。例えば画像処理部１０８は、画素数変換、γ補正、Ｄ／Ａ変換等の画像処理を行う。画像処理部１０８は、画像処理を行った第１の画像を第３の画像生成部１０２に送る。
【００５０】
奥行き情報取得部１１４は、奥行き情報を画像データ入力部１１０から受け取り、第３の画像生成部１０２に送る。第３の画像生成部１０２は、第１の画像データの各画素データを、奥行き情報に基づいて４画素データに変換し、第３の画像データを生成し、第１の画像とともに第２の画像生成部１０３に送る。第２の画像生成部１０３は、第３の画像と第１の画像とを用いて第２の画像を生成する。第２の画像生成部１０３は、第１の画像と第２の画像を表示部１０６に送る。
【００５１】
画像ずらし部１０４は、まず第１の画像を表す光線をずらすことなく、透過させ、ユーザ２００に視覚させる。
【００５２】
次に表示部１０６は、第２の画像を表す光線を出射する。このとき制御部１１２は、表示部１０６から第２の画像を表す光線を出射している旨を示す情報を受け取る。次に制御部１１２は、第２の画像に対応したずらし量を画像ずらし部１０４に送る。画像ずらし部１０４は、受け取ったずらし量に基づいて、第２の画像をずらす。このとき画像ずらし部１０４は、表示部１０６の画素ピッチより小さい範囲で第２の画像をずらすことができる。画像ずらし部１０４は、ユーザ２００の右目２１０及び左目２２０に視覚可能に第１の画像と第２の画像を出射する。また画像ずらし部１０４の詳細な構造については、第１の実施の形態に係る画像ずらし部１０４と同様であるので説明を省略する。
【００５３】
図９は、第２の実施の形態に係る表示装置１００の動作を示すフローチャートである。画像データ入力部１１０は、第１の画像の画像データを、第１の画像の奥行きを示す奥行き情報とともに入力する（Ｓ２００）。ここで画像データ入力部１１０は、外部から画像データを入力してもよいし、保持している画像データを入力してもよい。また画像データ入力部１１０は、撮像部を備え、撮像した画像データを入力してもよい。ここで画像データ入力部１１０は、第１の画像の画素毎に奥行き情報を取得しているが、これに代えて領域毎に奥行き情報を取得してもよい。
【００５４】
次に奥行き情報取得部１１４は、画像データ入力部１１０が取得した奥行き情報を取得する（Ｓ２１０）。画像処理部１０８は、受け取った画像データの画像処理を行う。例えば画像処理部１０８は、画素数変換、γ補正、Ｄ／Ａ変換等の画像処理を行う（Ｓ２２０）。
【００５５】
第３の画像生成部１０２は、第１の画像の各画素を、奥行き情報に基づいて４画素に変換し、第３の画像を生成する（Ｓ２３０）。第２の画像生成部１０３は、第３の画像と第１の画像とを用いて第２の画像を生成する（Ｓ２４０）。
【００５６】
画像ずらし部１０４は、まず第１の画像を表す光線をずらすことなく、透過させ、ユーザ２００に視覚させる（Ｓ２５０）。次に表示部１０６は、第２の画像を表す光線を出射する（Ｓ２６０）。画像ずらし部１０４は、第２の画像をずらす（Ｓ２７０）。
【００５７】
図１０は、図９のＳ２３０における表示装置１００の詳細な動作を示すフローチャートである。第２の実施の形態に係る表示装置１００は、第１の画像の奥行き情報に基づいて、第３の画像の画素数を決定する。
【００５８】
第３の画像生成部１０２は、奥行きが所定値以下であるか否かを、奥行き情報により示される奥行きの平均値から算出する（Ｓ３００）。そして第３の画像生成部１０２は、奥行きが所定値以下であると判断した場合に、表示部１０６が表示可能な表示画素数の４倍の画素数を有する第３の画像を生成すると決定する（Ｓ３２０）。一方第３の画像生成部１０２は、奥行きが所定値以下ではないと判断した場合に、表示部１０６が表示可能な表示画素数の９倍の画素数を有する第３の画像を生成すると決定する（Ｓ３１０）。次に第３の画像生成部１０２は、決定した画素数の第３の画像を、奥行き情報に基づいて生成する（Ｓ３３０）。
【００５９】
図１１は、第１の画像の一例を示す。第１の画像は、家５０と樹木６０を含む。樹木６０と背景の境界部分を、境界部分６１とする。
【００６０】
図１２は、境界部分６１を拡大表示した画像の一例を示す。図１２（１）は、第１の画像における境界部分６１を示す。図１２（２）は、第１の画像を用いて生成した第３の画像における境界部分６１を示す。表示部１０６は、第１の画像をユーザが閲覧可能に表示した後、ユーザの視覚に第１の画像の残像がある間に、表示部１０６から入射した第３の画像を表す光線を、画像ずらし部１０４が図１２（２）に示す１画素ピッチずらした光線を出射することで、表示部１０６が表示可能な画素数の整数倍の画素数を有する画像を表示することができる。
【００６１】
例えば図１２（１）における画素６２を、４倍の解像度で表示すると図１２（２）の画素６２のように表示される。この場合、第１の画像に含まれる画素は、画素６３であり、第３の画像に含まれる画素は、画素６４、画素６５、及び画素６６である。表示部１０６は、まず画素６３を表す光線を出射する。画像ずらし部１０４は、画素６３を表す光線をずらすことなく透過する。そして表示部１０６は、画素６３の残像がある間に、画素６４を表す光線を出射する。画像ずらし部１０４は、画素６４を表す光線を図１２（２）の画素６４の表示位置に表示させるためにずらす。表示部１０６及び画像ずらし部１０４は、画素６５及び画素６６も画素６４と同様に光線をずらして表示する。
【００６２】
このように図１２（２）に示す第３の画像は、図１２（１）に示す第１の画像と比較して、解像度が高くなるので、なめらかな曲線を表示することができる。
【００６３】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００６４】
【発明の効果】
上記説明から明らかなように、本発明によれば画像に適した画像ずらしを行うことができる。
【図面の簡単な説明】
【図１】第１の実施の形態に係る表示装置１００の機能構成を示すブロック図である。
【図２】第１の実施の形態において特徴的な画像ずらし部１０４の構成を示す図である。
【図３】制御部１１２が保持するデータベースのデータフォーマットの一例を示す図である。
【図４】第１の実施の形態に係る表示装置１００の動作を示すフローチャートである。
【図５】図５（１）は、第１の画像の一例を示す図である。
図５（２）は、左目用画像の一例を示す図である。
図５（３）は、右目用画像の一例を示す図である。
【図６】第１の変更例に係る右目用画像と左目用画像の一例を示す。
【図７】第２の変更例に係る画像ずらし部１０４の構成を示す図である。
【図８】第２の実施の形態に係る表示装置１００の機能構成を示すブロック図である。
【図９】第２の実施の形態に係る表示装置１００の動作を示すフローチャートである。
【図１０】図９のＳ２３０における表示装置１００の詳細な動作を示すフローチャートである。
【図１１】第１の画像の一例を示す。
【図１２】境界部分６１を拡大表示した画像の一例を示す。
【符号の説明】
１００  表示装置
１０４  画像ずらし部
１０６  表示部
１０８  画像処理部
１１０  画像データ入力部
１１２  制御部
１１４  奥行き情報取得部
１１６  偏光部
１１８  屈折部
２００  ユーザ
２１０  右目
２２０  左目
【図１】
0003816813.tif 000002
【図２】
0003816813.tif 000003
【図３】
0003816813.tif 000004
【図４】
0003816813.tif 000005
【図５】
0003816813.tif 000006
【図６】
0003816813.tif 000007
【図７】
0003816813.tif 000008
【図８】
0003816813.tif 000009
【図９】
0003816813.tif 000010
【図１０】
0003816813.tif 000011
【図１１】
0003816813.tif 000012
【図１２】
0003816813.tif 000013